(57)【要約】【課題】積載トレイ上の用紙を必要最小限の時間で照明することで出力された用紙の画像面のユーザーによる視認を容易にし、ユーザーの用紙検品時の作業効率を高めるとともに、消費電力を低減させることができる用紙積載装置を提供する。【解決手段】用紙を搬送する用紙搬送手段と、用紙を積載する用紙積載手段とを備える用紙積載装置において、前記用紙積載装置は、前記用紙積載手段を照明する照明手段と、  人感センサと、動作モードによって前記照明手段を制御する制御手段とを有することを特徴とする用紙積載装置とする。【選択図】図１１
2011026020.tif 000002
【特許請求の範囲】
【請求項１】
用紙を搬送する用紙搬送手段と、
用紙を積載する用紙積載手段と
を備える用紙積載装置において、
前記用紙積載装置は、
前記用紙積載手段を照明する照明手段と、
動作モードによって前記照明手段を制御する制御手段とを有する
ことを特徴とする用紙積載装置。
【請求項２】
請求項１に記載の用紙積載装置において、
前記動作モードは、自動判別モードとユーザー判別モードとを有する動作モードを選択できる操作スイッチを備える
ことを特徴とする用紙積載装置。
【請求項３】
請求項１又は２に記載の用紙積載装置において、
前記用紙積載装置は人感センサを有し、
前記照明手段を制御する制御手段は、自動判別モードのとき、人感センサがＯＮ状態で、かつ用紙積載装置が通紙モードの条件を満たすときに、必要な時間、必要な照明手段のみを点灯させる
ことを特徴とする用紙積載装置。
【請求項４】
請求項１又は２に記載の用紙積載装置において、
前記照明手段を制御する制御手段は、ユーザー判別モードのとき、ユーザーが必要とした場合、必要な時間、必要な照明手段のみを点灯させる
ことを特徴とする用紙積載装置。
【請求項５】
画像形成装置から出力された用紙に紙揃え、紙折り、穴あけ、ホッチキス留め、中綴じ製本等の少なくとも一つの後処理を施す用紙後処理装置において、
前記用紙後処理装置は、請求項１ないし４のいずれかに記載の用紙積載装置を一体あるいは別体に具備する
ことを特徴とする用紙後処理装置。
【請求項６】
記録媒体上に画像を形成する画像形成装置において、
前記画像形成装置は、請求項１ないし４のいずれかに記載の用紙積載装置を一体あるいは別体に具備する
ことを特徴とする画像形成装置。
【請求項７】
記録媒体上に画像を形成する画像形成装置において、
前記画像形成装置は、請求項５に記載の用紙後処理装置を一体あるいは別体に具備する
ことを特徴とする画像形成装置。
【請求項８】
請求項６又は７に記載の画像形成装置において、
前記画像形成装置は、
表面に静電潜像を形成する像担持体と、  前記像担持体の表面を一様に帯電する帯電装置と、  前記像担持体の表面に露光する露光装置と、  現像剤によって静電潜像を現像し、トナー像を形成する現像装置と、  前記該トナー像を記録媒体上に転写する転写装置と、
前記記録媒体上に転写されたトナー像を定着する定着装置とを有する
ことを特徴とする画像形成装置。
【請求項９】
請求項６ないし８のいずれかに記載の画像形成装置において、
前記画像形成装置は、動作モードによって、用紙を積載する用紙積載手段を照明する照明手段を制御する制御手段を有する
ことを特徴とする画像形成装置。
【請求項１０】
請求項６ないし９のいずれかに記載の画像形成装置において、
前記動作モードは、自動判別モードとユーザー判別モードとを有する動作モードを選択できる操作スイッチを備える
ことを特徴とする画像形成装置。
【請求項１１】
前記画像形成装置と、前記画像形成装置と一体あるいは別体に設けられた前記用紙積載装置又は前記用紙処理装置とからなる画像形成システムにおいて、
前記画像形成システムは、請求項１ないし４のいずれかに記載の用紙積載装置又は請求項５に記載の用紙処理装置のいずれかを具備する
ことを特徴とする画像形成システム。
【請求項１２】
請求項１１に記載の画像形成システムにおいて、
前記画像形成システムは、請求項６ないし１０のいずれかに記載の画像形成装置を具備する
ことを特徴とする画像形成システム。
【発明の詳細な説明】
【技術分野】
【０００１】
本発明は、複写機やプリンタ、ファクシミリ等の画像形成装置から出力された用紙を積載する用紙積載装置、これを備えた画像形成装置から出力された用紙に後処理を施す用紙後処理装置、画像形成装置、及び画像形成システムに関する。
【背景技術】
【０００２】
近年、画像形成装置から出力された用紙を排紙トレイに積載する用紙積載装置であるスタッカー、画像形成装置から出力された用紙に紙揃え、紙折り、穴あけ、ホッチキス留め、簡易製本等の後処理を施す用紙後処理装置であるフィニッシャーなどによる、出力された用紙の多量積載が可能な画像形成システムのニーズが高まっている。多量積載技術は多機能プリンタ（ＭＦＰ）だけでなく、印刷業界でも使用されており、既に知られている。
従来技術として、用紙揃え手段がビン上に排紙された用紙をストツパに突き当てて揃え、ステープラが用紙束をステープル終了後、用紙押し出し手段がジョガーバーと連動してステープル済みの用紙束を排紙方向に押し出すことで、用紙束は外部から目視可能で、用紙束の取り出し性に優れた位置まで押し出され、また、用紙センサにより用紙束の押し出しが検知されたら、この検知信号に基づいて表示部のランプを点灯させれば、ジョブの終了をより明瞭に視認することができる用紙後処理装置が開示されている（例えば、特許文献１参照。）。
また、従来技術として、用紙トレイのトレイ穴部直下に検知窓が上向きとなるようにセンサを取り付け、真上にあるランプの光軸とセンサ軸が所定の角度になるようにセンサを傾斜させ、また、センサとランプの間に所定の面積の遮光壁を設けることにより、用紙有無の誤検出を無くすことができる用紙後処理装置が開示されている（例えば、特許文献２参照。）。
さらに、従来技術として、下側トレイが退避に必要な上面位置を確保しながら確実に目標とする時間内に動作を終えることができる用紙後処理装置が開示されている。そのための手段は、排紙口の下方の位置で積載トレイの上面あるいは該積載トレイに積載された用紙もしくは用紙束の上面を検出するとともに、検出される上面が排紙口の下方となるように積載トレイを積載位置に移動させる。また、上方から他の積載トレイの上面が検出されるように移動するときに、該積載位置への移動を妨げない上記積載位置よりも下方の待避位置で積載トレイあるいは該積載トレイに載置されている用紙を検知し、積載トレイの待避位置への移動距離を検知する。そして、既に得られている上記積載位置から積載トレイあるいは積載されている用紙が検知される位置までの距離を移動したことを検知したときに積載トレイを停止させることにより、目標とする時間内に動作を終えることができる（例えば、特許文献３参照。）。
【０００３】
このように、従来から多量積載技術の改良が進められているが、従来の多量積載装置には画像面を下向きにして出力された用紙を検品するという概念がなく、排紙トレイ上に排出された用紙を揃えて多量積載しているにすぎないものが多かった。具体的に説明すると、フィニッシャー、あるいはスタッカーの場合、画像形成装置から搬送される用紙を１枚づつ用紙積載トレイへ積載し、必要に応じて縦揃え、あるいは横揃えを行うことで用紙を多量に積載していた。このような多量積載装置は、ユーザーが出力された用紙を検品しようとしても、排出される用紙の下面、すなわち画像面の視認が容易ではなかった。また、出力された用紙の検品時は装置が設置された場所の照度に依存していたため、使用環境にも影響されやすかった。
この問題を解決することを目的とした従来技術として、排紙ローラ対の排出方向が前上がりになるようにし、排紙トレイの表面が前下がりになるようにして、排紙ローラ対から排出される用紙の下面、すなわち画像面の視認を容易にし、また、用紙トレイ下面と装置本体頂板との間に空間を設け、排紙ローラ対上流側直前の搬送路の案内板及びハウジングのこの空間に面する部分に透視可能な窓を設け、さらに透視窓を照明する光源を設けることにより出力された用紙の視認をさらに容易にする画像形成装置が開示されている（例えば、特許文献４参照。）。
【発明の概要】
【発明が解決しようとする課題】
【０００４】
しかしながら、特許文献４では、排出口に透視窓と、その透視窓に照明する光源を設けるという解決手段を持っているが、照明する手段を使用するためには常に照明させておく必要があるため、消費電力が大きくなるという問題があった。
そこで、本発明は、積載トレイ上の用紙を必要最小限の時間で照明することで出力された用紙の画像面のユーザーによる視認を容易にし、ユーザーの用紙検品時の作業効率を高めるとともに、消費電力を低減させることができる用紙積載装置を提供することを目的とする。
【課題を解決するための手段】
【０００５】
上記課題を解決するため、本発明は、以下の特徴を有している。
本発明の用紙積載装置は、用紙を搬送する用紙搬送手段と、用紙を積載する用紙積載手段とを備える用紙積載装置において、前記用紙積載装置は、前記用紙積載手段を照明する照明手段と、動作モードによって前記照明手段を制御する制御手段とを有することを特徴とする。
また、本発明の用紙積載装置は、前記動作モードは、自動判別モードとユーザー判別モードとを有する動作モードを選択できる操作スイッチを備えることを特徴とする。
また、本発明の用紙積載装置は、人感センサを有し、前記照明手段を制御する制御手段は、自動判別モードのとき、人感センサがＯＮ状態で、かつ用紙積載装置が通紙モードの条件を満たすときに、必要な時間、必要な照明手段のみを点灯させることを特徴とする。
また、本発明の用紙積載装置は、前記照明手段を制御する制御手段は、ユーザー判別モードのとき、ユーザーが必要とした場合、必要な時間、必要な照明手段のみを点灯させる  ことを特徴とする。
本発明の用紙後処理装置は、画像形成装置から出力された用紙に紙揃え、紙折り、穴あけ、ホッチキス留め、中綴じ製本等の少なくとも一つの後処理を施す用紙後処理装置において、前記用紙後処理装置は、上記いずれかに記載の用紙積載装置を一体あるいは別体に具備することを特徴とする。
【０００６】
本発明の画像形成装置は、記録媒体上に画像を形成する画像形成装置において、前記画像形成装置は、上記いずれかに記載の用紙積載装置を一体あるいは別体に具備することを特徴とする。  また、本発明の画像形成装置は、記録媒体上に画像を形成する画像形成装置において、  前記画像形成装置は、上記記載の用紙後処理装置を一体あるいは別体に具備することを特徴とする。
また、本発明の画像形成装置は、表面に静電潜像を形成する像担持体と、前記像担持体の表面を一様に帯電する帯電装置と、前記像担持体の表面に露光する露光装置と、現像剤によって静電潜像を現像し、トナー像を形成する現像装置と、前記該トナー像を記録媒体上に転写する転写装置と、前記記録媒体上に転写されたトナー像を定着する定着装置とを有することを特徴とする。
また、本発明の画像形成装置は、動作モードによって、用紙を積載する用紙積載手段を照明する照明手段を制御する制御手段を有することを特徴とする。
また、本発明の画像形成装置は、前記動作モードは、自動判別モードとユーザー判別モードとを有する動作モードを選択できる操作スイッチを備えることを特徴とする。
本発明の画像形成システムは、前記画像形成装置と、前記画像形成装置と一体あるいは別体に設けられた前記用紙積載装置又は前記用紙処理装置とからなる画像形成システムにおいて、前記画像形成システムは、上記いずれかに記載の用紙積載装置又は上記記載の用紙処理装置のいずれかを具備することを特徴とする。
また、本発明の画像形成システムは、上記いずれかに記載の画像形成装置を具備することを特徴とする。
【発明の効果】
【０００７】
本発明によれば、用紙積載装置の操作スイッチの動作モードが自動判別モードであれば、人感センサがＯＮ状態で、かつ用紙積載装置がプリント中である通紙モードの条件を満たすときに、必要な時間、必要な照明手段のみを点灯させて、必要な積載トレイのみ照明することができる。
一方、用紙積載装置の操作スイッチの動作モードがユーザー判別モードであれば、ユーザーが必要とした場合、ユーザーが照明ａスイッチ又は照明ｂスイッチをＯＮすることにより、照明手段４１１又は４１２を点灯させて、必要な積載トレイのみ照明することができる。
本発明によれば、自動判別モードの場合、ユーザー判別モードの場合のいずれであっても、積載トレイ上の用紙を、必要最小限の時間と必要最小限の照明手段で照明することができる。これにより、出力された用紙の画像面のユーザーによる視認を容易にし、ユーザーの用紙検品時の作業効率を高めるとともに、消費電力を低減させることができる。
【図面の簡単な説明】
【０００８】
【図１】本発明の用紙積載装置が組み込まれた用紙後処理装置の全体構成図で、さらに画像形成装置に取り付けられた図である。
【図２】用紙積載装置の積載部の横方向のシフト機構と、その一部を拡大して示した図である。
【図３】用紙積載装置の積載部の昇降機構と、その一部を拡大して示した図である。
【図４】用紙積載装置の積載部の用紙排出機構を示した図である。
【図５（ａ．ｂ．ｃ）】図５（ａ）〜（ｉ）は、中綴じ製本処理可能な用紙後処理装置の中綴じの動作モードについて説明する図である。図５（ａ）は、処理トレイＦと処理トレイＧの、動作前の状態を示している。図５（ｂ）は、処理トレイＦで、順次排出される用紙を整合している状態を示している。図５（ｃ）は、処理トレイＦで、用紙束が中央綴じ処理される状態を示している。
【図５（ｄ．ｅ．ｆ）】図５（ｄ）は、処理トレイＦで、用紙束先端部が挟持されている状態を示している。図５（ｅ）は、処理トレイＦから処理トレイＧに用紙束が搬送される状態を示している。図５（ｆ）は、処理トレイＧで、用紙束が可動後端フェンスに突き当てられ、束搬送ローラ下の加圧が解除された状態を示している。
【図５（ｇ．ｈ．ｉ）】図５（ｇ）は、処理トレイＧで、用紙束が中央折り処理される状態を示している。図５（ｈ）は、処理トレイＧで、用紙束が中央折り処理されながら搬送路Ｈへ導かれている状態を示している。図５（ｉ）は、処理トレイＧで、中央折り処理された用紙束が搬送路Ｈを通過している状態を示している。
【図６】本発明の用紙積載装置のシステム全体のブロック線図について説明する図である。
【図７（ａ）】図７（ａ）〜（ｅ）は、人感センサと制御手段の動作について説明する図である。図７（ａ）は、人感センサと制御手段の回路のブロック線図を示した図である。
【図７（ｂ．ｃ．ｄ．ｅ）】図７（ｂ）は、焦電型赤外線センサの前を人が横切ったときのアナログの出力信号（１）の波形の例を示したグラフである。図７（ｃ）は、図７（ｂ）のアナログの出力信号（１）をオペアンプで増幅して出力したアナログの出力信号（２）の波形を示したグラフである。図７（ｄ）は、上図のアナログの入力信号（２）が、ウィンドウコンパレータ回路を通して、下図のデジタルの出力信号（３）に処理されるグラフを示している。図７（ｅ）は、上図の、ウィンドウコンパレータ回路を通したときの、一般的なデジタルの出力信号（４）が、出力保持回路を通して、下図のデジタルの出力信号（５）に処理されるグラフを示している。
【図８】人感センサの検知範囲について説明する図である。
【図９】照明手段の駆動回路について説明する図である。
【図１０】図１０（ａ）〜（ｃ）は、３つのスイッチユニットから構成される操作スイッチについて説明する図である。図１０（ａ）は、自動判別モード時、自動判別スイッチがＯＮ状態のとき、自動判別スイッチボタンのＬＥＤのみが点灯している外観である。図１０（ｂ）は、ユーザー判別モード時、ユーザーが照明ａスイッチをＯＮしたとき、照明ａスイッチボタンのＬＥＤのみが点灯している外観である。図１０（ｃ）は、各スイッチユニットの回路について説明する図である。
【図１１】用紙検品時の照明手段の駆動に関するフローチャートについて説明する図である。
【発明を実施するための形態】
【０００９】
以下に、本発明を実施するための形態を説明する。本発明の特徴は、出力された用紙の検品に際して、用紙積載装置の操作スイッチの動作モードが自動判別モードであれば、人感センサがＯＮ状態で、かつ用紙積載装置がプリント中である通紙モードの条件を満たすときに、積載トレイ上の用紙を照明することである。一方、用紙積載装置の操作スイッチ動作モードがユーザー判別モードであれば、ユーザーが必要とした場合のみ、ユーザーが照明ａスイッチ又は照明ｂスイッチをＯＮすることにより、照明手段４１１又は４１２を点灯させて、必要な積載トレイのみ照明することができることである。
上記記載の本発明の特徴について、図面に基づいて詳細に説明する。
【実施例１】
【００１０】
実施例として、本発明の用紙積載装置２００が中綴じ製本処理可能な用紙後処理装置６００に組み込まれ、さらに画像形成装置７００に取り付けられた場合について説明する。
なお、本実施例では、画像形成装置７００に電子写真方式を採用しているが、インクジェット方式、リボン方式の画像形成装置にも本発明の用紙積載装置２００の取り付けは可能である。
図１は、本発明の用紙積載装置が組み込まれた用紙後処理装置の全体構成図で、さらに画像形成装置に取り付けられた図である。
用紙後処理装置６００は画像形成装置７００から出力された用紙に紙揃え、紙折り、穴あけ、ホッチキス留め、中綴じ製本等の後処理を施す。
この用紙後処理装置６００は、画像形成装置７００の側部に取り付けられており、画像形成装置７００より排出された用紙は用紙後処理装置６００に導かれる。前記用紙は、１枚の用紙に穴あけを施す穿孔手段（パンチユニット１００）を有する搬送路Ａを通り、分岐手段である分岐爪１５及び分岐爪１６によって、上トレイ２０１へ導く搬送路Ｂ、シフトトレイ２０２へ導く搬送路Ｃ、整合（紙揃え）及びスティプル綴じ（ホッチキス留め）等を行う処理トレイＦへ導く搬送路Ｄへ振り分けられるように構成されている。
処理トレイＦで整合及びスティプル綴じ等を施された用紙は、分岐手段である分岐ガイド板５４と可動ガイド５５により、シフトトレイ２０２へ導く搬送路Ｃ、紙折り等を施す処理トレイＧへ振り分けられるように構成され、処理トレイＧで紙折り等を施された用紙は搬送路Ｈを通り下トレイ２０３へ導かれる。
また、搬送路Ｄ内に分岐爪１７が配置されており、分岐爪１７は図示してない低荷重バネにより図の状態に保持されており、用紙後端がこれを通過した後、搬送ローラ９、１０、スティプル排紙ローラ１１のうち少なくとも搬送ローラ９を逆転することで用紙後端を用紙収容部Ｅへ導き滞留させ、次用紙と重ね合せて搬送することが可能なように構成されている。この動作を繰り返すことで２枚以上の用紙を重ね合せて搬送することも可能である。
【００１１】
搬送路Ｂ、搬送路Ｃ、搬送路Ｄの上流で各々に対し共通な搬送路Ａには、画像形成装置７００から受け入れる用紙を検出する入口センサ３０１、その下流に入口ローラ１、パンチユニット１００、搬送ローラ２、分岐爪１５、分岐爪１６が順次配置されている。図示してないバネにより、分岐爪１５は下方に、分岐爪１６は上方に、図１の状態に保持されており、このとき分岐爪１５と分岐爪１６を各々回動させる図示してない各々のソレノイドはＯＦＦしている。各々のソレノイドをＯＮすると、分岐爪１５は上方に、分岐爪１６は下方に各々回動する。そして、各々のソレノイドをＯＮ／ＯＦＦすることにより、搬送路Ｂ、搬送路Ｃ、搬送路Ｄへ用紙を振り分ける。
搬送路Ｂへ用紙を導く場合は、分岐爪１５は図１の下方に保持された状態で、分岐爪１５用のソレノイドはＯＦＦする。搬送路Ｃへ用紙を導く場合は、図１の保持された状態から各々のソレノイドをＯＮすることにより、分岐爪１５は上方に、分岐爪１６は下方に回動した状態にする。搬送路Ｄへ用紙を導く場合は、分岐爪１６は図１の上方に保持された状態で分岐爪１６用のソレノイドはＯＦＦし、分岐爪１５は図１の下方に保持された状態から分岐爪１５用のソレノイドをＯＮすることにより、分岐爪１５は上方に回動した状態にする。
【００１２】
用紙積載装置２００は、用紙後処理装置６００で後処理された用紙を、上トレイ２０１、シフトトレイ２０２、及び下トレイ２０３のそれぞれのトレイに積載する。    
上トレイ２０１およびシフトトレイ２０２の上部には、上トレイ２０１を照明するための照明手段４１１と、シフトトレイ２０２を照明するための照明手段４１２が設置されている。
人感センサ４０１と、自動判別モードかユーザー判別モードかをユーザーが選択できるための操作スイッチ４０２は、用紙積載装置２００の筐体上部に設置されている。
本実施例では、用紙積載装置２００に、トレイを照明する照明手段と、人感センサと、操作スイッチからなる制御手段を設置しているが、これらの制御手段は、用紙積載装置２００を一体あるいは別体に具備する画像形成装置７００の筐体上部に設置してもよい。
【００１３】
図２は、用紙積載装置の積載部の横方向のシフト機構と、その一部を拡大して示した図である。
図３は、用紙積載装置の積載部の昇降機構と、その一部を拡大して示した図である。
本発明記載の用紙積載装置２００が有する積載部は、シフト排紙ローラ６と、戻しコロ１３と、紙面検知センサ３３０と、シフトトレイ２０２と、図３に示す昇降機構と図２に示すシフト機構等により構成される。
図３において、戻しコロ１３は、シフト排紙ローラ６から排出された用紙と接して前記用紙の後端を、図３には表示していないが図２に示すエンドフェンス３２に突き当てて揃えるためのスポンジ製のコロである。この戻しコロ１３は、シフト排紙ローラ６の回転力で回転するようになっている。戻しコロ１３近傍にはトレイ上昇リミットスイッチ３３３が設けられている。図３の矢印方向のように、シフトトレイ２０２が上昇して戻しコロ１３を押し上げると、前記トレイ上昇リミットスイッチ３３３がオンしてトレイ昇降モータ１６８が停止する。これによりシフトトレイ２０２のオーバーランが防止される。
戻しコロ１３の近傍には、図１に示すように、シフトトレイ２０２の紙面位置を検知する紙面位置検知手段としての紙面検知センサ３３０が設けられている。図１には表示していないが紙面検知センサ３３０は、図３に示す紙面検知レバー３０と、紙面検知センサ（スティプル用）３３０ａと紙面検知センサ（ノンスティプル用）３３０ｂとで構成されている。紙面検知レバー３０はその軸部を中心に回動可能に設けられておりシフトトレイ２０２に積載された用紙の後端上面に接触する接触部３０ａと扇形の遮蔽部３０ｂを有している。上方に位置する紙面検知センサ（スティプル用）３３０ａは主にスティプル排紙制御に用いられ、紙面検知センサ（ノンスティプル用）３３０ｂは主にシフト排紙制御に用いられる。
本実施形態では、遮蔽部３０ｂによって遮られたときに、紙面検知センサ（スティプル
用）３３０ａと紙面検知センサ（ノンスティプル用）３３０ｂがオンするようになっている。したがって、図３の矢印方向のように、シフトトレイ２０２が上昇して紙面検知レバー３０の接触部３０ａが上方に回動すると、遮蔽部３０ｂが下方に回動して紙面検知センサ（スティプル用）３３０ａを遮らなくなり、紙面検知センサ（スティプル用）３３０ａがオフする。さらに回動すると、遮蔽部３０ｂがさらに下方に回動して紙面検知センサ（ノンスティプル用）３３０ｂを遮り、紙面検知センサ（ノンスティプル用）３３０ｂがオンする。用紙の積載量が所定の高さに達したことが紙面検知センサ（スティプル用）３３０ａと紙面検知センサ（ノンスティプル用）３３０ｂによって検知されると、シフトトレイ２０２は所定量下降される。
これにより、シフトトレイ２０２の紙面位置はほぼ一定に保たれる。
【００１４】
図３に示した、シフトトレイ２０２の昇降機構について詳細に説明する。
シフトトレイ２０２は駆動軸２１を駆動ユニットにより駆動されることにより昇降する。駆動軸２１と従動軸２２との間にはタイミングプーリを介してタイミングベルト２３がテンションをもって掛けられている。このタイミングベルト２３にシフトトレイ２０２を支持する側板２４が固定されており、かかる構成によってシフトトレイ２０２を含むユニットが昇降可能に吊り下げられている。
シフトトレイ２０２を上下方向に移動させる駆動源としての正逆転可能なトレイ昇降モータ１６８で発生した動力がウォームギヤ２５を介して駆動軸２１に固定されたギヤ列の最終ギヤに伝達されるようになっている。途中ウォームギヤ２５を介しているため、シフトトレイ２０２を一定位置に保持することができ、シフトトレイ２０２の不意の落下事故等を防止することができるようになっている。
シフトトレイ２０２の側板２４には、遮蔽板２４ａが一体に形成されており、下方には積載用紙の満載を検出する満杯検知センサ３３４と下限位置を検出する下限センサ３３５が配置されており、遮蔽板２４ａによって満杯検知センサ３３４と下限センサ３３５とがＯＮ／ＯＦＦされるようになっている。満杯検知センサ３３４と下限センサ３３５はフォトセンサであり、遮蔽板２４ａによって遮られたときにオンするようになっている。なお、図３において、図１に示すシフト排紙ローラ６は省略している。
【００１５】
図２に示した、シフトトレイ２０２の横方向のシフト機構について詳細に説明する。図２に示した一部拡大図のうち、上の図はシフトトレイ２０２が手前の位置で停止した図を示し、下の図はシフトトレイ２０２が奥の位置で停止した図を示している。
シフトモータ１６９を駆動源にシフトカム３１を回転させる。そのシフトカム３１には回転軸中心から一定量離れた位置にピン３１ａが立っている。エンドフェンス３２は、シフトトレイ２０２上の積載紙の後端をガイドするもので、用紙排紙方向と直交方向に設置されている。ピン３１ａと、エンドフェンス３２の長穴部とは嵌合している。図２の矢印方向のように、シフトカム３１の回転により、前記ピン３１ａと嵌合しているエンドフェンス３２は用紙排紙方向と直交方向すなわち横方向に移動し、それに伴いシフトトレイ２０２も横方向に移動する。図２の一部拡大図のように、前記シフトトレイ２０２は手前と奥の２つの位置で停止する。その停止位置は、シフトセンサ３３６の検知信号に基づいて決定され、シフトモータ１６９がＯＮ／ＯＦＦすることにより駆動される。
このようなシフトトレイ２０２の横方向のシフト機構により、エンドフェンス３２は、シフトトレイ２０２上の積載紙の後端を揃えることが出来る。
【００１６】
図４は、用紙積載装置の積載部の用紙排出機構を示した図である。
用紙積載装置２００は、用紙後処理装置６００で後処理された用紙を、上トレイ２０１、シフトトレイ２０２、及び下トレイ２０３のそれぞれのトレイ（積載部）に、用紙排出機構により排出して積載する。  
図１及び図４に示すように、シフト排紙ローラ６は、駆動ローラ６ａと従動ローラ６ｂを有している。従動ローラ６ｂは、用紙排出方向上流側を支持され、上下方向に回動自在に設けられた開閉ガイド板３３の自由端部に、回転自在に支持されている。従動ローラ６ｂは、自重又は付勢力により駆動ローラ６ａに当接し用紙は両ローラ間に挟持されて排出される。綴じ処理された用紙束が排出される時は、開閉ガイド板３３が上方に回動され、所定のタイミングで戻されるようになっており、このタイミングはシフト排紙センサ３０３の検知信号に基づいて決定される。その停止位置は、排紙ガイド板開閉センサ３３１の検知信号に基づいて決定され、マイクロスイッチ３３２と排紙ガイド板開閉モータ１６７がＯＮ／ＯＦＦすることにより駆動される。
このように、本実施例の用紙排出機構では、画像形成装置７００から出力された用紙に用紙後処理装置６００で後処理を施した用紙を積載部に排出しているが、用紙積載装置２００のみが画像形成装置７００に取り付けられた場合には、画像形成装置７００から出力された用紙を積載部に排出することになる。
【００１７】
本実施例では、用紙後処理装置６００の後処理モードに応じて下記の（１）〜（５）の排出形態をとる。
（１）ノンスティプルモードａ：搬送路Ａ、搬送路Ｂを通り、上トレイ２０１へ排出される。
（２）ノンスティプルモードｂ：搬送路Ａ、搬送路Ｃを通り、シフトトレイ２０２へ排出される。
（３）ソート、スタックモード：搬送路Ａ、搬送路Ｃを通り、シフトトレイ２０２へ排出される。その際、シフトトレイ２０２のシフト機構により、排出される用紙は仕分けられる。
（４）スティプルモード：搬送路Ａ、搬送路Ｄを経て、処理トレイＦで整合及びスティプル綴じを施され、搬送路Ｃを通り、シフトトレイ２０２へ排出される。
（５）中綴じ製本モード：搬送路Ａ、搬送路Ｄを経て、処理トレイＦで整合及び中央でスティプル綴じを施され、さらに処理トレイＧで中央折りを施され、搬送路Ｈを通り、下トレイ２０３へ排出される。
【００１８】
（１）〜（４）の排出形態の動作を図１、図２に基づいて、説明する。
（１）ノンスティプルモードａ：図１に示すように、搬送路Ａから分岐爪１５で振り分けられた用紙は、搬送路Ｂに導かれ、搬送ローラ３と上排紙ローラ４によって上トレイ２０１へ排出される。また、上排紙ローラ４の近傍に配置された用紙の排出を検出する上排紙センサ３０２によって、排紙の状態が監視される。
（２）ノンスティプルモードｂ：図１に示すように、搬送路Ａから分岐爪１５分岐爪１６で振り分けられた用紙は、搬送路Ｃに導かれ、搬送ローラ５、シフト排紙ローラ６によってシフトトレイ２０２へ排出される。また、シフト排紙ローラ６の近傍に配置された用紙の排出を検出するシフト排紙センサ３０３によって、排紙の状態が監視される。
（３）ソート、スタックモード：（２）ノンスティプルモードｂ時と同様の搬送排紙を行う。その際、図２のシフトトレイ２０２のシフト機構により、シフトトレイ２０２が、１部ごとに、排紙方向と直交方向すなわち横方向に、手前と奥の２つの位置に移動することで、排出される用紙は仕分けられる。
（４）スティプルモード：図１に示すように、搬送路Ａから分岐爪１５分岐爪１６で振り分けられた用紙は、搬送路Ｄに導かれ、搬送ローラ７、搬送ローラ９、搬送ローラ１０、スティプル排紙ローラ１１により、処理トレイＦに排出される。前記処理トレイＦでは、排紙ローラ１１により順次排出される用紙を整合し、所定枚数に達すると、端面綴じスティプラＳ１により綴じ処理を行う。その後、綴じられた用紙束は放出爪５２ａにより下流へ搬送されシフト排紙ローラ６によりシフトトレイ２０２へ排出される。また、シフト排紙ローラ６の近傍に配置された用紙の排出を検出するシフト排紙センサ３０３によって、排紙の状態が監視される。
【００１９】
（５）の排出形態の動作を図１、図５（ａ）〜（ｉ）に基づいて、説明する。
図５（ａ）〜（ｉ）は、中綴じ製本処理可能な用紙後処理装置の中綴じの動作モードについて説明する図である。
図５（ａ）は、処理トレイＦと処理トレイＧの、動作前の状態を示している。
図５（ｂ）は、処理トレイＦで、順次排出される用紙を整合している状態を示している。
図５（ｃ）は、処理トレイＦで、用紙束が中央綴じ処理される状態を示している。
図５（ｄ）は、処理トレイＦで、用紙束先端部が挟持されている状態を示している。
図５（ｅ）は、処理トレイＦから処理トレイＧに用紙束が搬送される状態を示している。
図５（ｆ）は、処理トレイＧで、用紙束が可動後端フェンスに突き当てられ、束搬送ローラ下の加圧が解除された状態を示している。
図５（ｇ）は、処理トレイＧで、用紙束が中央折り処理される状態を示している。
図５（ｈ）は、処理トレイＧで、用紙束が中央折り処理されながら搬送路Ｈへ導かれている状態を示している。
図５（ｉ）は、処理トレイＧで、中央折り処理された用紙束が搬送路Ｈを通過している状態を示している。
（５）中綴じ製本モード：図１に示すように、搬送路Ａから分岐爪１５分岐爪１６で振り分けられた用紙は、搬送路Ｄに導かれ、搬送ローラ７、搬送ローラ９、搬送ローラ１０、スティプル排紙ローラ１１により処理トレイＦに排出される。処理トレイＦでは、（４）スティプルモードの時と同様にスティプル排紙ローラ１１により順次排出される用紙を整合し、スティプルする直前までは同様の動作をする（図５（ｂ）参照。）。
次に、図５（ｃ）の位置に、用紙束は、放出爪５２ａが上流に移動することにより、用紙サイズごとに設定された所定距離上流へ運ばれ、その中央を中綴じスティプラＳ２により矢印方向に綴じ処理される。綴じ処理された後の中綴じスティプラＳ２の状態は、図５（ｃ）において細い二点鎖線で示している。綴じられた用紙束は、図５（ｄ）の位置に、放出爪５２ａがさらに上流に移動することにより、用紙サイズごとに設定された所定距離下流へ搬送され、一旦停止する。この移動距離は図示しない放出モータの駆動パルスにより制御される。
次に、図５（ｄ）に示すように、用紙束先端部は放出ローラ５６と加圧コロ５７により挟持され、分岐ガイド板５４と可動ガイド５５とが矢印方向に回動することで形成され、処理トレイＧへ導かれる経路を通過するべく、再度放出爪５２ａと放出ローラ５６により下流へ搬送される。この放出ローラ５６は放出ベルト５２の駆動軸に設けられており放出ベルト５２と同期して駆動される。
次に、図５（ｅ）に示すように、その用紙束は束搬送ローラ上７１と束搬送ローラ下７２により、予めその用紙サイズに応じた位置にホームポジションから移動し、下側の端面をガイドするべく停止している可動後端フェンス７３まで搬送される。このとき、放出爪５２ａは、放出ベルト５２の外周上に対向する位置に配置された、もう１つの放出爪５２ａ´が後端フェンス５１近傍に達した位置で停止し、分岐ガイド板５４と可動ガイド５５はホームポジションへ復帰し、次の用紙に備える。
次に、図５（ｆ）に示すように、可動後端フェンス７３に突き当てられた用紙束は、束搬送ローラ下７２の加圧を矢印方向のように解除される。その後、図５（ｇ）に示すように、綴じられた用紙束の針部近傍は略直角方向に左矢印方向に折りプレート７４により押され、それに対向する折りローラ８１のニップへと導かれる。折りローラ８１はその用紙束を加圧搬送することで、用紙束中央に折りを施す。
次に、図５（ｈ）に示すように、右矢印方向に折りプレート７４が戻され、折りローラ８１のニップで用紙束が中央折り処理されながら、搬送路Ｈへと導かれる。
その後、図５（ｉ）に示すように、中央折り処理された用紙束が搬送路Ｈを通過すると図１に示した下トレイ２０３へ排出される。このとき、束搬送ローラ下７２と可動後端フェンス７３はホームポジションへ矢印方向に復帰し、次の用紙に備える。
【００２０】
図６は、本発明の用紙積載装置のシステム全体のブロック線図について説明する図である。
制御手段３５０は、図６に示すように、ＣＰＵ３６０を有するマイクロコンピュータであり、図示しない画像形成装置本体のコントロールパネルの各スイッチ、及び各センサからの信号がＣＰＵ３６０へ入力される。ＣＰＵ３６０は、入力された信号に基づいて、各モータ（シフトトレイ２０２用のトレイ昇降モータ１６８、シフトトレイ２０２を移動するシフトモータ１６９、各搬送ローラを駆動する搬送モータ、各排紙ローラを駆動する排紙モータ等）の駆動を制御する。  
照明手段４１１、４１２はＬＥＤ駆動ユニットとしてプリント基板（ＰＣＢ）に取り付けられており、ＰＣＢに駆動用ドライバを装備している。ＣＰＵ３６０からは電源とＯＮ／ＯＦＦ信号のみを提供することで駆動可能となっている。詳細は、図９で後述する。
操作スイッチ４０２はＬＥＤとスイッチからなり、スイッチの入力信号によりＬＥＤのＯＮ／ＯＦＦが制御される。詳細は、図１０で後述する。
人感センサ４０１のアナログ出力は、制御手段３５０の入力補正回路を介し、デジタル信号化の後にＣＰＵ３６０に入力される。
【００２１】
図７（ａ）〜（ｅ）は、人感センサと制御手段の動作について説明する図である。図７（ｂ）〜（ｅ）のグラフは、縦軸に出力電圧Ｖｏｕｔ、ただし図７（ｄ）の上図のみ縦軸に入力電圧Ｖｉｎを取り、横軸に時間Ｔを取って、制御手段３５０の動作について説明する模式図である。
図７（ａ）は、人感センサと制御手段の回路のブロック線図を示した図である。
図７（ｂ）は、焦電型赤外線センサの前を人が横切ったときのアナログの出力信号（１）の波形の例を示したグラフである。
図７（ｃ）は、図７（ｂ）のアナログの出力信号（１）をオペアンプで増幅して出力したアナログの出力信号（２）の波形を示したグラフである。
図７（ｄ）は、上図のアナログの入力信号（２）が、ウィンドウコンパレータ回路を通して、下図のデジタルの出力信号（３）に処理されるグラフを示している。
図７（ｅ）は、上図の、ウィンドウコンパレータ回路を通したときの、一般的なデジタルの出力信号（４）が、出力保持回路を通して、下図のデジタルの出力信号（５）に処理されるグラフを示している。
人感センサ４０１には、焦電型赤外線センサを使用している。焦電型赤外線センサは人体が赤外線を検出し、赤外線の変位を出力するものである。人がセンサに近づくと赤外線量の変化が増加するので、その変化量に応じて、予め設定したＶＨ（上限値）を超える電位が生じる（図７（ｄ）参照。）。その後、人がセンサから遠ざかると赤外線の量が減少するので、予め設定したＶＬ（下限値）を下回る電位が生じる（図７（ｄ）参照。）。
図７（ａ）に示すように、焦電型赤外線センサのアナログの出力信号（１）（図７（ｂ）参照。）は、制御手段３５０の入力補正回路である増幅回路に入力され、オペアンプ（演算増幅器）にてアナログの入力を一定の比で増幅して出力される。（図７（ｃ）参照。）。その増幅回路で増幅されたアナログの出力信号（２）は、ウィンドウコンパレータ回路を通して、アナログの入力信号（２）として入力され、デジタルの出力信号（３）に処理される（図７（ｄ）参照。）。ウィンドウコンパレータ回路は、入力電圧であるアナログの入力信号（２）が、予め設定した、ＶＨ（上限値）とＶＬ（下限値）の２つの電圧の範囲内に収まっているかどうかを判定し、その結果を１（ＨＩＧＨ）か０（ＬＯＷ）かのデジタル値で出力する回路である。
図７（ｄ）に示すように、ウィンドウコンパレータ回路では、ＶＨ以上の電位とＶＬ以下の電位の場合に出力がＬＯＷとなる。その結果、デジタルの出力信号（３）のように人が近づいたときと、遠ざかるときにＬＯＷ出力信号を得ることができる。
ただし、図７（ｅ）に示すように、一般に、ウィンドウコンパレータ回路を通した出力信号は、非常にＬＯＷ出力の時間が短い（４）のような波形となるため、出力保持回路にてＬＯＷ出力の時間を出力波形（５）のように延長させる。最終的にＣＰＵ３６０へ入力される波形は出力波形（５）のようになる。
このように、人感センサ４０１（焦電型赤外線センサ）によって、人がセンサ付近で動いていることを認識することができる。
【００２２】
図８は、人感センサの検知範囲について説明する図である。
人感センサ４０１の検知範囲と検知距離は、人感センサ４０１に取り付けるレンズの外形寸法、レンズの種類を変更することで適切な設定が可能となる。本実施例では、人感センサ４０１（焦電型赤外線センサ）は用紙積載装置２００の筐体上部に設置している。本実施例では、図８の上面部から見た図のように水平方向に１２０°、図８の側面部から見た図のように垂直方向に６０°に人感センサ４０１の検知範囲を設定し、人感センサ４０１からの検知距離を１.５ｍに設定している。
【００２３】
図９は、照明手段の駆動回路について説明する図である。
図９に示すように、照明手段４１１、４１２は、ＬＥＤ駆動ユニットとしてＰＣＢに取り付けられている（図１、６参照。）本実施例では、照明手段４１１、４１２の駆動回路は、ＬＥＤを取り付けたＰＣＢに実装されているが、前期駆動回路は制御手段３５０に実装しても問題ない。本実施例では、照明手段４１１、４１２には、それぞれに白色ＬＥＤ３個を並列に３列並べた合計９個をつなげている。白色光の輝度は、ＬＥＤの個数によって変化し、ＬＥＤの個数はＬＥＤの寿命とＬＥＤへの電流によって決定される。照明手段４１１、４１２の駆動は、駆動回路によって制御される。照明手段４１１、４１２の駆動回路は、ＬＥＤに一定の電流を流すための設定を行うコンパレータと、ＬＥＤを駆動するためのスイッチ動作をするトランジスタから構成されている。ＣＰＵ３６０からのＯＮ／ＯＦＦ信号によって、照明手段４１１、４１２のＬＥＤは点灯、消灯することが可能となる。
【００２４】
図１０（ａ）〜（ｃ）は、３つのスイッチユニットから構成される操作スイッチについて説明する図である。
図１０（ａ）は、自動判別モード時、自動判別スイッチがＯＮ状態のとき、自動判別スイッチボタンのＬＥＤのみが点灯している外観である。
図１０（ｂ）は、ユーザー判別モード時、ユーザーが照明ａスイッチをＯＮしたとき、照明ａスイッチボタンのＬＥＤのみが点灯している外観である。
図１０（ｃ）は、各スイッチユニットの回路について説明する図である。
本発明の用紙積載装置は、自動判別モードとユーザー判別モードとを有する動作モードを選択できる操作スイッチ４０２を備えている。
操作スイッチ４０２は、自動判別スイッチ、照明ａスイッチ、照明ｂスイッチの３つのスイッチユニットから構成される（図１、１０参照。）。自動判別スイッチがＯＮ状態のとき、照明手段４１１、４１２の自動判別モードとなる。照明ａスイッチ、照明ｂスイッチは、ユーザーが照明手段４１１、４１２を自分で点灯、消灯を選択できるユーザー判別モードにするためのスイッチである。照明ａスイッチは、照明手段４１１を点灯させるためのスイッチであり、照明ｂスイッチは、照明手段４１２を点灯するためのスイッチである。
操作スイッチ４０２の外観を図１０（ａ）、（ｂ）に示す。図１０（ｃ）に示すように、３つのスイッチユニットは、それぞれがスイッチボタン点灯用にＬＥＤを３個内蔵している。
図１０（ａ）では、自動判別スイッチがＯＮ状態のとき、自動判別スイッチボタンのＬＥＤが点灯し、照明手段４１１、４１２の自動判別モードとなることを示している。図１０（ｂ）では、ユーザーが照明ａスイッチを押したとき、自動判別スイッチボタンのＬＥＤが消灯し、照明ａスイッチボタンのＬＥＤが点灯して、ユーザー判別モードとなることを示している。
図１０（ｃ）に示すように、各スイッチユニットは、ＬＥＤとスイッチをプリント基板（ＰＣＢ）に実装している。操作スイッチ４０２は自動判別スイッチ、照明ａスイッチ、照明ｂスイッチの３つのスイッチユニットから構成されているので、ＰＣＢ上に図１０（ｃ）の回路が３つ必要となる。図１０（ｃ）のスイッチボタン点灯用のＬＥＤの駆動は、図９に示した照明手段４１１、４１２を駆動させる原理と同じである。
スイッチがＯＮ状態であると、ＧＮＤへ導通するので、ＣＰＵ３６０にはＬＯＷが入力される。スイッチがＯＦＦ状態であると、制御手段３５０側にある入力バッファ内にあるプルアップ回路によって入力がＨＩＧＨになるように電圧を安定させてから、ＣＰＵ３６０にはＨＩＧＨが入力される。
操作スイッチ４０２を構成する自動判別スイッチ、照明ａスイッチ、照明ｂスイッチのＯＮ／ＯＦＦ動作の詳細については、図１０（ｃ）では図示していないが、いずれかのスイッチを指で１度押すと、指を離してもＯＮ状態を保持し、これをＯＦＦするには、同じスイッチを再度指で押すか、又は別のスイッチを新たに１度指で押すことで可能となる。したがって、ユーザーが必要に応じて、自動判別スイッチを押してＯＮにすると自動判別モードとなり、ユーザーが照明ａスイッチ又は照明ｂスイッチを押してＯＮにするとユーザー判別モードとなる。
一方、ユーザーが必要としない場合、操作スイッチ４０２はすべてＯＦＦにし、スイッチのＬＥＤ、照明手段４１１、４１２のすべてを消灯させておくこともできる。すなわち、自動判別モード又はユーザー判別モードよって照明手段４１１、４１２を制御する必要がないときは、自動判別スイッチ、照明ａスイッチ、照明ｂスイッチのすべてのスイッチをＯＦＦにしておくこともできる。
なお、本実施例の操作スイッチ４０２のＯＮ／ＯＦＦ動作の設定は一例であり、例えば、自動判別スイッチは常にＯＮにして自動判別モードにしておき、ユーザーが必要なときにのみ、照明ａスイッチ又は照明ｂスイッチをＯＮにしてユーザー判別モードにするといった設定も任意にできる。
【００２５】
図１１は、用紙検品時の照明手段の駆動に関するフローチャートについて説明する図である。
図１１は、人感センサ４０１、操作スイッチ４０２、照明手段４１１、照明手段４１２を用いて、ユーザーが出力された用紙を検品しようとする時のフローチャートを示している。人感センサ４０１は、前記図７に記した焦電型赤外線センサを用いており、焦電型赤外線センサによって人の動きを検知したときにセンサがＯＮ状態であるとする。照明手段には前記図１と図９に示したＬＥＤを用いており、上トレイ２０１を照明するための照明手段４１１と、シフトトレイ２０２を照明するための照明手段４１２とから構成される。操作スイッチ４０２は、前記図１０に示した自動判別スイッチ、照明ａスイッチ、照明ｂスイッチの３つのスイッチユニットから構成されている。
【００２６】
用紙積載装置２００は、操作スイッチ４０２の状態を検知して自動判別スイッチがＯＮ状態か否かで自動判別モードか否かを判断し（ステップＳ１）、ＹＥＳなら自動判別モード（ステップＳ２以降）に、ＮＯならユーザー判別モード（ステップＳ１０以降）に遷移する。
（ステップＳ１）で自動判別モードと判断された場合は、人感センサ４０１が人の動作を検知したか否かを判断し（ステップＳ２）、人の動作を検知できた場合、プリント中か否かを判断し（ステップＳ３）、プリント中の場合は用紙の排紙先の判別シーケンス（ステップＳ５以降）へ遷移する。
一方、（ステップＳ２）でＮＯ、又は（ステップＳ３）でＮＯと判断された場合は、照明手段４１１,４１２をＯＦＦし、一定時間Ｔ１経過したかを判断する終了シーケンス（ステップＳ９）へと遷移する。ここで、一定時間Ｔ１とは、あらかじめ照明に必要な時間を任意に設定することができるものである。自動判別モードであれば、必要な時間のみ照明手段４１１、４１２を点灯させることができる。
（ステップＳ５）で用紙の排紙先が上トレイ２０１のモードと判断された場合、つまり「ノンスティプルモードａ」の場合は、照明手段４１１をＯＮ、照明手段４１２をＯＦＦ（ステップＳ６）し、一定時間Ｔ１経過したかを判断する終了シーケンス（ステップＳ９）へと遷移する。照明手段４１１で上トレイ２０１を照明することにより、出力された用紙の画像面のユーザーによる視認を容易にし、ユーザーの検品を補佐することができる。
一方、（ステップＳ７）で用紙の排紙先がシフトトレイ２０２のモードと判断された場合、つまり「ノンスティプルモードｂ」、「ソート、スタックモード」または「スティプルモード」の場合は、照明手段４１１をＯＦＦ、照明手段４１２をＯＮ（ステップＳ８）し、一定時間Ｔ１経過したかを判断する終了シーケンス（ステップＳ９）へと遷移する。照明手段４１２でシフトトレイ２０２を照明することにより、出力された用紙の画像面のユーザーによる視認を容易にし、ユーザーの検品を補佐することができる。
本実施例では、排紙先が上記以外の下トレイ２０３であるモード、つまり「中綴じ製本モード」では、排紙先が下にあり、ユーザーが検品しづらいため照明手段を装備していない。ただし、下トレイ２０３を照明することは、同じような構成（ＬＥＤおよびスイッチ）を装備することで、簡単に実現可能である。
【００２７】
（ステップＳ１）でユーザー判別モードに遷移した場合、照明ａスイッチの状態（ステップＳ１０）と、照明ｂスイッチの状態（ステップＳ１５）によって、照明ＬＥＤとＬＥＤのＯＮ／ＯＦＦがそのまま結果として出力される。
照明ａスイッチがＯＮであれば、照明ａＬＥＤがＯＮ（ステップＳ１１）、照明手段４１１がＯＮ（ステップＳ１２）する。照明ａスイッチがＯＦＦであれば、照明ａＬＥＤがＯＦＦ（ステップＳ１３）、照明手段４１１がＯＦＦ（ステップＳ１４）となる。
一方、照明ｂスイッチがＯＮであれば、照明ｂＬＥＤがＯＮ（ステップＳ１６）、照明手段４１２がＯＮ（ステップＳ１７）する。照明ｂスイッチがＯＦＦであれば、照明ｂＬＥＤがＯＦＦ（ステップＳ１８）、照明手段４１２がＯＦＦ（ステップＳ１９）となる。
【００２８】
このように、自動判別モードであれば、人感センサ４０１がＯＮ状態で、かつ用紙積載装置２００の動作モードの状態が通紙モードの条件を満たすときに、一定時間Ｔ１の間に積載トレイ上の用紙を照明するので、必要な時間のみ照明手段４１１又は４１２を点灯させて、必要な積載トレイのみ照明することができる
一方、ユーザー判別モードであれば、ユーザーが必要とした場合のみ、ユーザーが照明ａスイッチ又は照明ｂスイッチをＯＮすることにより、照明手段４１１又は４１２を点灯させて、必要な積載トレイのみ照明することができる。
従って、本発明によれば、自動判別モードの場合、ユーザー判別モードの場合のいずれであっても、積載トレイ上の用紙を、必要最小限の時間と必要最小限の照明手段で照明することができる。これにより、出力された用紙の画像面のユーザーによる視認を容易にし、ユーザーの用紙検品時の作業効率を高めるとともに、消費電力を低減させることができる。
なお、ユーザーが必要としない場合、すなわち、自動判別モード又はユーザー判別モードよって照明手段４１１、４１２を制御する必要がないときは、自動判別スイッチ、照明ａスイッチ、照明ｂスイッチのすべてのスイッチをＯＦＦにし、スイッチのＬＥＤ、照明手段４１１、４１２のすべてを消灯させておくこともできる。
【符号の説明】
【００２９】
１  入口ローラ
２、３、５、７、９、１０  搬送ローラ
４  上排紙ローラ
６  シフト排紙ローラ
６ａ  駆動ローラ
６ｂ  従動ローラ
８  プレスタックローラ  
１１  スティプル排紙ローラ
１２  叩きコロ
１３  戻しコロ    
１５、１６、１７  分岐爪
２１  駆動軸  
２２  従動軸
２３  タイミングベルト
２４  側板２４
２４ａ  遮蔽板
２５  ウォームギヤ  
３０  紙面検知レバー
３０ａ  接触部
３０ｂ  遮蔽部
３１  シフトカム
３１ａ  ピン
３２  エンドフェンス
３３  開閉ガイド板
５１  後端フェンス
５２  放出ベルト
５２ａ、５２ａ´  放出爪
５３  ジョガーフェンス
５４  分岐ガイド板
５５  可動ガイド
５６  放出ローラ
５７  加圧コロ
７１  束搬送ローラ上
７２  束搬送ローラ下
７３  可動後端フェンス
７４  折りプレート
８１  折りローラ
８３  下排紙ローラ
９１  束搬送ガイド板下
９２  束搬送ガイド
１００  パンチユニット
１０１  パンチ屑ホッパ
１６７  排紙ガイド板開閉モータ
１６８  トレイ昇降モータ
１６９  シフトモータ
２００  用紙積載装置
２０１  上トレイ
２０２  シフトトレイ
２０３  下トレイ
３０１  入口センサ
３０２  上排紙センサ  
３０３  シフト排紙センサ
３０４  プレスタックセンサ
３０５  スティプル排紙センサ
３１０  紙有無センサ
３１１  放出ベルトＨＰセンサ
３２１  束到達センサ
３２２  後端フェンスＨＰセンサ
３２３  折部通過センサ
３３０  紙面検知センサ
３３０ａ  紙面検知センサ（スティプル用）
３３０ｂ  紙面検知センサ（ノンスティプル用）
３３１  排紙ガイド板開閉センサ
３３２  マイクロスイッチ
３３３  トレイ上昇リミットスイッチ
３３４  満杯検知センサ
３３５  下限センサ
３５０  制御手段
３６０  ＣＰＵ
４０１  人感センサ
４０２  操作スイッチ    
４１１、４１２  照明手段
５０１  束押さえブラケット
５０１ａ  束押さえブラケット軸
５０５  中綴じ満杯センサ
６００  用紙後処理装置
７００  画像形成装置
Ａ  搬送路（穴あけ処理を行う）
Ｂ、Ｃ、Ｄ、Ｈ  搬送路
Ｅ  用紙収容部
Ｆ  処理トレイ（紙揃え、スティプル綴じ処理を行う）
Ｇ  処理トレイ（紙折り処理を行う）
Ｓ１  端面綴じスティプラ
Ｓ２  中綴じスティプラ
【先行技術文献】
【特許文献】
【００３０】
【特許文献１】特開平５−１２４３７３号公報
【特許文献２】特開平１０−２６５０９４号公報
【特許文献３】特開２００５−０７５５７２号公報
【特許文献４】特開平６−１００２２２号公報
【図１】
2011026020.tif 000003
【図２】
2011026020.tif 000004
【図３】
2011026020.tif 000005
【図４】
2011026020.tif 000006
【図５（ａ．ｂ．ｃ）】
2011026020.tif 000007
【図５（ｄ．ｅ．ｆ）】
2011026020.tif 000008
【図５（ｇ．ｈ．ｉ）】
2011026020.tif 000009
【図６】
2011026020.tif 000010
【図７（ａ）】
2011026020.tif 000011
【図７（ｂ．ｃ．ｄ．ｅ）】
2011026020.tif 000012
【図８】
2011026020.tif 000013
【図９】
2011026020.tif 000014
【図１０】
2011026020.tif 000015
【図１１】
2011026020.tif 000016